(57)【要約】【課題】基地局装置および端末装置が位置登録エリアを跨いで移動した場合に、位置登録エリアが相違している期間を短縮する。【解決手段】移動体通信システムは、端末装置と、セルを形成することにより前記端末装置と通信を行う基地局装置と、前記基地局装置が属する位置登録エリアを検出するエリア検出部と、を備え、前記エリア検出部が、前記基地局装置が属する位置登録エリアの変更を検出した場合に、前記基地局装置が、自装置が形成するセルのセル識別情報を、変更前の位置登録エリアにおいて使用可能な第１のセル識別情報から、変更後の位置登録エリアにおいて使用可能な第２のセル識別情報に変更する。【選択図】図１
2019121903.tif 000002
【特許請求の範囲】
【請求項１】
端末装置と、
セルを形成することにより前記端末装置と通信を行う基地局装置と、
前記基地局装置が属する位置登録エリアを検出するエリア検出部と、を備え、
前記エリア検出部が、前記基地局装置が属する位置登録エリアの変更を検出した場合に、前記基地局装置が、自装置が形成するセルのセル識別情報を、変更前の位置登録エリアにおいて使用可能な第１のセル識別情報から、変更後の位置登録エリアにおいて使用可能な第２のセル識別情報に変更する
移動体通信システム。
【請求項２】
前記第２のセル識別情報は、前記変更後の位置登録エリア内に存在する基地局装置が使用可能な複数のセル識別情報のうち、既に他の基地局装置に使用されているセル識別情報を除くセル識別情報の中から選択される、
請求項１に記載の移動体通信システム。
【請求項３】
重複しない時間帯において同一の位置登録エリアに属する複数の前記基地局装置が、前記位置登録エリアにおいて、同じセル識別情報を用いてセルを形成する、
請求項１または２に記載の移動体通信システム。
【請求項４】
端末装置と、
セルを形成することにより前記端末装置と通信を行う基地局装置と、
前記基地局装置が属する位置登録エリアを検出するエリア検出部と、を備え、
前記エリア検出部が、前記基地局装置が属する位置登録エリアの変更を検出した場合に、前記基地局装置が、変更後の位置登録エリアにおいて使用可能なセル識別情報を用いて、新たにセルを形成する、
移動体通信システム。
【請求項５】
セルを形成することにより端末装置と通信を行う基地局装置であって、
自装置が属する位置登録エリアに関する情報を取得するエリア情報取得部と、
前記端末装置と通信する通信部と、
制御部と、を備え、
前記制御部は、
前記エリア情報取得部が取得する前記情報に基づいて、自装置が属する位置登録エリアの変更を検出した場合に、自装置が形成するセルのセル識別情報を、変更前の位置登録エリアにおいて使用可能な第１のセル識別情報から、変更後の位置登録エリアにおいて使用可能な第２のセル識別情報に変更する、
基地局装置。
【請求項６】
前記制御部は、前記セル識別情報を変更した場合に、前記通信部を介して、自装置に接続している端末装置に前記変更を通知する、
請求項５に記載の基地局装置。
【請求項７】
前記制御部は、前記セル識別情報を変更した場合に、前記第２のセル識別情報を、前記通信部を介して報知する、
請求項５または６に記載の基地局装置。
【請求項８】
前記制御部は、自装置が属する位置登録エリアの変更を検出した場合に、通信部に対して、出力する電波の電力を基準以下に低下させる、
請求項５から７のうちいずれか１項に記載の基地局装置。
【請求項９】
請求項５から８のうちいずれか一項に記載の基地局装置を備える、車両。
【請求項１０】
セルを形成することにより前記端末装置と通信を行う基地局装置を搭載した車両において、
前記基地局装置が属する位置登録エリアが変更した場合に、前記基地局装置が、変更後の位置登録エリアにおいて使用可能なセル識別情報を用いて、新たにセルを形成する、
車両。
【請求項１１】
端末装置と、セルを形成することにより前記端末装置と通信を行う基地局装置と、を含む移動体通信システムにおける端末装置において、
自装置と接続している基地局装置から、自装置が属する位置登録エリアが変更したことに基づく情報を受信する受信部と、
前記受信部が受信した前記情報に基づいて、前記基地局装置と通信を行うためのセル識別情報を、変更前の位置登録エリアにおいて使用可能な第１のセル識別情報から、変更後の位置登録エリアにおいて使用可能な第２のセル識別情報に変更する変更部と、
を備える、端末装置。
【請求項１２】
端末装置と、セルを形成することにより前記端末装置と通信を行う基地局装置と、を含む移動体通信システムにおける通信方法において、
基地局装置が属する位置登録エリアを検出し、
前記基地局装置が属する位置登録エリアの変更を検出した場合に、前記基地局装置に対応したセル識別情報を、変更前の位置登録エリアにおいて使用可能な第１のセル識別情報から、変更後の位置登録エリアにおいて使用可能な第２のセル識別情報に変更する、
通信方法。
【請求項１３】
端末装置と、セルを形成することにより前記端末装置と通信を行う基地局装置と、を含む移動体通信システムにおける通信方法であって、
前記基地局装置が属する位置登録エリアを検出し、
前記基地局装置が属する位置登録エリアの変更を検出した場合に、前記基地局装置が、変更後の位置登録エリアにおいて使用可能なセル識別情報を用いて、新たにセルを形成する、
通信方法。
【請求項１４】
セルを形成することにより端末装置と通信を行う基地局装置の通信方法であって、
自装置が属する位置登録エリアに関する情報を取得し、
取得した前記情報に基づいて、自装置が属する位置登録エリアの変更を検出した場合に、自装置が形成するセルのセル識別情報を、変更前の位置登録エリアにおいて使用可能な第１のセル識別情報から、変更後の位置登録エリアにおいて使用可能な第２のセル識別情報に変更する、
通信方法。
【請求項１５】
セルを形成することにより端末装置と通信を行う基地局装置のコンピュータに、
自装置が属する位置登録エリアに関する情報を取得させ、
取得した前記情報に基づいて、自装置が属する位置登録エリアの変更を検出した場合に、自装置が形成するセルのセル識別情報を、変更前の位置登録エリアにおいて使用可能な第１のセル識別情報から、変更後の位置登録エリアにおいて使用可能な第２のセル識別情報に変更させる、
プログラム。
【請求項１６】
端末装置と、セルを形成することにより前記端末装置と通信を行う基地局装置と、を含む移動体通信システムにおける端末装置のコンピュータにおいて、
自装置と接続している基地局装置から、自装置が属する位置登録エリアが変更したことに基づく情報を受信させ、
受信した前記情報に基づいて、前記基地局装置と通信を行うためのセル識別情報を、変更前の位置登録エリアにおいて使用可能な第１のセル識別情報から、変更後の位置登録エリアにおいて使用可能な第２のセル識別情報に変更させる、
プログラム。
【発明の詳細な説明】
【技術分野】
【０００１】
本発明の一態様は、移動体通信システム、基地局装置、車両、端末装置、通信方法、およびプログラムに関する。
【背景技術】
【０００２】
従来、移動通信システムにおいて、移動する端末装置の大凡の位置を管理する技術が知られている。例えば、特許文献１に記載された移動通信システムは、端末装置の位置登録処理を行う位置登録処理装置を備える。位置登録処理装置は、端末装置から位置登録の要求を受け付けた場合には位置登録処理を実行せず、端末装置が位置登録エリアに在圏する場合に、基地局装置から送信された位置登録の要求を受け付けたことに応じて端末装置の位置登録処理を実行している。
【先行技術文献】
【特許文献】
【０００３】
【特許文献１】特開２０１３−１５７８５９号公報
【発明の概要】
【発明が解決しようとする課題】
【０００４】
しかしながら、基地局装置が電車やバスなどの車両に搭載されている場合、基地局装置が端末装置との接続を維持したまま位置登録エリアを跨いで移動することが想定される。基地局装置が端末装置との接続を継続したまま位置登録エリアを跨いで移動した場合、位置登録処理装置において登録された端末装置に対応する位置登録エリアと、実際に端末装置が存在する位置登録エリアとが異なってしまう。しかしながら、特許文献１の位置登録処理では、基地局装置および端末装置が位置登録エリアを跨いで移動した場合に、実際に基地局装置および端末装置が存在する位置登録エリアと、位置登録処理装置において登録された位置登録エリアとが相違してしまう。
【０００５】
本発明は、上記の課題に基づいてなされたものであり、基地局装置および端末装置が位置登録エリアを跨いで移動した場合に、位置登録エリアが相違している期間を短縮することができる、移動体通信システム、基地局装置、車両、端末装置、通信方法、およびプログラムを提供することを目的としている。
【課題を解決するための手段】
【０００６】
（１）上記の課題を解決するため、本発明の一態様の移動体通信システムは、端末装置と、セルを形成することにより前記端末装置と通信を行う基地局装置と、前記基地局装置が属する位置登録エリアを検出するエリア検出部と、を備え、前記エリア検出部が、前記基地局装置が属する位置登録エリアの変更を検出した場合に、前記基地局装置が、自装置が形成するセルのセル識別情報を、変更前の位置登録エリアにおいて使用可能な第１のセル識別情報から、変更後の位置登録エリアにおいて使用可能な第２のセル識別情報に変更する。
【０００７】
（２）本発明の一態様は、上記の移動体通信システムにおいて、前記変更後の位置登録エリア内に存在する基地局装置が使用可能な複数のセル識別情報のうち、既に他の基地局装置に使用されているセル識別情報を除くセル識別情報の中から選択してよい。
【０００８】
（３）本発明の一態様は、上記の移動体通信システムにおいて、重複しない時間帯において同一の位置登録エリアに属する複数の前記基地局装置が、前記位置登録エリアにおいて、同じセル識別情報を用いてセルを形成してよい。
【０００９】
（４）上記の課題を解決するため、本発明の一態様の移動体通信システムは、端末装置と、セルを形成することにより前記端末装置と通信を行う基地局装置と、前記基地局装置が属する位置登録エリアを検出するエリア検出部と、を備え、前記エリア検出部が、前記基地局装置が属する位置登録エリアの変更を検出した場合に、前記基地局装置が、変更後の位置登録エリアにおいて使用可能なセル識別情報を用いて、新たにセルを形成する。
【００１０】
（５）上記の課題を解決するため、本発明の一態様の基地局装置は、セルを形成することにより端末装置と通信を行う基地局装置であって、自装置が属する位置登録エリアに関する情報を取得するエリア情報取得部と、前記端末装置と通信する通信部と、制御部と、を備え、前記制御部は、前記エリア情報取得部が取得する前記情報に基づいて、自装置が属する位置登録エリアの変更を検出した場合に、自装置が形成するセルのセル識別情報を、変更前の位置登録エリアにおいて使用可能な第１のセル識別情報から、変更後の位置登録エリアにおいて使用可能な第２のセル識別情報に変更する。
【００１１】
（６）本発明の一態様は、上記の基地局装置において、前記制御部は、前記セル識別情報を変更した場合に、前記通信部を介して、自装置に接続している端末装置に前記変更を通知してよい。
【００１２】
（７）本発明の一態様は、上記の基地局装置において、前記制御部は、前記セル識別情報を変更した場合に、前記第２のセル識別情報を、前記通信部を介して報知してよい。
【００１３】
（８）本発明の一態様は、上記の基地局装置において、前記制御部は、自装置が属する位置登録エリアの変更を検出した場合に、通信部に対して、出力する電波の電力を基準以下に低下させてよい。
【００１４】
（９）上記の課題を解決するため、本発明の一態様の車両は、（５）から（８）のうちいずれかに記載の基地局装置を備える。
【００１５】
（１０）上記の課題を解決するため、本発明の一態様の車両は、セルを形成することにより前記端末装置と通信を行う基地局装置を搭載した車両において、前記基地局装置が属する位置登録エリアが変更した場合に、前記基地局装置が、変更後の位置登録エリアにおいて使用可能なセル識別情報を用いて、新たにセルを形成する。
【００１６】
（１１）上記の課題を解決するため、本発明の一態様の端末装置は、端末装置と、セルを形成することにより前記端末装置と通信を行う基地局装置と、を含む移動体通信システムにおける端末装置において、自装置と接続している基地局装置から、自装置が属する位置登録エリアが変更したことに基づく情報を受信する受信部と、前記受信部が受信した前記情報に基づいて、前記基地局装置と通信を行うためのセル識別情報を、変更前の位置登録エリアにおいて使用可能な第１のセル識別情報から、変更後の位置登録エリアにおいて使用可能な第２のセル識別情報に変更する変更部と、を備える。
【００１７】
（１２）上記の課題を解決するため、本発明の一態様の通信方法は、端末装置と、セルを形成することにより前記端末装置と通信を行う基地局装置と、を含む移動体通信システムにおける通信方法において、基地局装置が属する位置登録エリアを検出し、前記基地局装置が属する位置登録エリアの変更を検出した場合に、前記基地局装置に対応したセル識別情報を、変更前の位置登録エリアにおいて使用可能な第１のセル識別情報から、変更後の位置登録エリアにおいて使用可能な第２のセル識別情報に変更する。
【００１８】
（１３）上記の課題を解決するため、本発明の一態様の通信方法は、端末装置と、セルを形成することにより前記端末装置と通信を行う基地局装置と、を含む移動体通信システムにおける通信方法であって、前記基地局装置が属する位置登録エリアを検出し、前記基地局装置が属する位置登録エリアの変更を検出した場合に、前記基地局装置が、変更後の位置登録エリアにおいて使用可能なセル識別情報を用いて、新たにセルを形成する。
【００１９】
（１４）上記の課題を解決するため、本発明の一態様の通信方法は、セルを形成することにより端末装置と通信を行う基地局装置の通信方法であって、自装置が属する位置登録エリアに関する情報を取得し、取得した前記情報に基づいて、自装置が属する位置登録エリアの変更を検出した場合に、自装置が形成するセルのセル識別情報を、変更前の位置登録エリアにおいて使用可能な第１のセル識別情報から、変更後の位置登録エリアにおいて使用可能な第２のセル識別情報に変更する。
【００２０】
（１５）上記の課題を解決するため、本発明の一態様のプログラムは、セルを形成することにより端末装置と通信を行う基地局装置のコンピュータに、自装置が属する位置登録エリアに関する情報を取得させ、取得した前記情報に基づいて、自装置が属する位置登録エリアの変更を検出した場合に、自装置が形成するセルのセル識別情報を、変更前の位置登録エリアにおいて使用可能な第１のセル識別情報から、変更後の位置登録エリアにおいて使用可能な第２のセル識別情報に変更させる。
【００２１】
（１６）上記の課題を解決するため、本発明の一態様のプログラムは、端末装置と、セルを形成することにより前記端末装置と通信を行う基地局装置と、を含む移動体通信システムにおける端末装置のコンピュータにおいて、自装置と接続している基地局装置から、自装置が属する位置登録エリアが変更したことに基づく情報を受信させ、受信した前記情報に基づいて、前記基地局装置と通信を行うためのセル識別情報を、変更前の位置登録エリアにおいて使用可能な第１のセル識別情報から、変更後の位置登録エリアにおいて使用可能な第２のセル識別情報に変更させる。
【発明の効果】
【００２２】
本発明の一態様によれば、基地局装置および端末装置が位置登録エリアを跨いで移動した場合に、位置登録エリアが相違している期間を短縮することができる。
【図面の簡単な説明】
【００２３】
【図１】実施形態の移動体通信システムの一構成例を示すブロック図である。
【図２】位置登録エリアのそれぞれに割り当てられたセルＩＤを示す図である。
【図３】端末装置の一構成例を示すブロック図である。
【図４】基地局装置の一構成例を示すブロック図である。
【図５】基地局制御装置および情報記憶装置の一構成例を示すブロック図である。
【図６】移動体通信システムにおけるシーケンスの一例を示す図である。
【図７】第２の実施形態の基地局装置の一構成例を示すブロック図である。
【図８】移動体通信システムにおけるシーケンスの他の一例を示す図である。
【図９】第３の実施形態の基地局装置の一構成例を示すブロック図である。
【図１０】移動体通信システムにおけるシーケンスの他の一例を示す図である。
【図１１】第４の実施形態の車両の一構成例を示すブロック図である。
【図１２】移動体通信システムにおけるシーケンスの他の一例を示す図である。
【図１３】変形例を示すブロック図である。
【発明を実施するための形態】
【００２４】
以下、本発明を適用した移動体通信システム、基地局装置、車両、端末装置、通信方法、およびプログラムを、図面を参照して説明する。
【００２５】
（第１の実施形態）
図１は、実施形態の移動体通信システム１の一構成例を示すブロック図である。移動通信システム１は、例えば、端末装置１００と、複数の基地局装置２００−１、２００−２、および２００−３と、複数の基地局制御装置３００−１および３００−２と、管理装置４００とを備える。複数の基地局装置は、移動しない基地局装置（２００−１、および２００−３）と、移動する基地局装置２００−２とに区別される。基地局装置２００−２は、位置登録エリアを跨いで移動する基地局装置である。
【００２６】
基地局装置２００−２は、例えば、電車などの車両に搭載された基地局装置である。基地局装置２００−２には、車両の乗員により保有する端末装置１００と所定の位置関係を保ちながら移動する。所定の位置関係とは、車両の乗員により保有する端末装置１００が車両に乗車している状態における基地局装置２００と端末装置１００との位置関係である。なお、以下の説明では車両が電車であるとして説明するが、これに限定されず、車両は、例えばバスなどのような、乗員をのせて移動する交通機関であればよい。
【００２７】
なお、図１に示した構成例では、管理装置４００を一つ図示しているが、複数の基地局制御装置３００に対して一つの管理装置４００を備えていればよく、管理装置４００は複数の装置で構成されていてよい。以下の説明において、端末装置を他の端末装置と区別しない場合には単に「端末装置１００」と記載し、基地局装置とを他の基地局装置と区別しない場合には単に「基地局装置２００」と記載し、基地局制御装置とを他の基地局制御装置と区別しない場合には単に「基地局制御装置３００」と記載する。
【００２８】
基地局装置２００、基地局制御装置３００、および管理装置４００は、移動体通信網を形成する。基地局装置２００は、例えば、ＬＴＥ（Ｌｏｎｇ  Ｔｅｒｍ  Ｅｖｏｌｕｔｉｏｎ）、ＬＴＥ−Ａｄｖａｎｃｅｄなどの通信機能を搭載した基地局装置であり、端末装置１００は、ＬＴＥ、ＬＴＥ−Ａｄｖａｎｃｅｄなどの通信機能を搭載した移動局装置（ＵＥ、Ｕｓｅｒ  Ｅｑｕｉｐｍｅｎｔ）である。基地局制御装置３００は、例えば、ＭＭＥ（Ｍｏｂｉｌｉｔｙ  Ｍａｎａｇｅｍｅｎｔ  Ｅｎｔｉｔｙ；移動管理装置）である。管理装置４００は、例えば、ＨＳＳ（Ｈｏｍｅ  Ｓｕｂｓｃｒｉｂｅｒ  Ｓｅｒｖｅｒ；加入者情報管理装置、ＨＬＲ、Ｈｏｍｅ  Ｌｏｃａｔｉｏｎ  Ｒｅｇｉｓｔｅｒ）である。なお、ＭＭＥおよびＨＳＳは、単一の装置であってもよいし、ＭＭＥとして一つまたは複数の装置と、ＨＳＳとして一つまたは複数の装置とを含むシステムであってもよい。
【００２９】
基地局装置２００のそれぞれは、セルを形成し、セルを形成することにより端末装置１００と通信を行う。セルとは、基地局装置２００が送信する電波により形成される通信エリアを指す。通信エリアは、カバーエリアまたはカバレッジとも称される。セルは、セルを形成する基地局装置自体や送信電波の周波数（キャリア、コンポーネントキャリアとも称する）を指しても使用される。
【００３０】
セルのそれぞれには、セルＩＤが与えられる。セルＩＤとは、セルを識別する識別子（識別情報）であって、セルを識別するためのセル識別情報の一例である。る。セルＩＤは、例えば、ＬＴＥにおけるＰＣＩ（Ｐｈｙｓｉｃａｌ  Ｃｅｌｌ  Ｉｄｅｎｔｉｆｉｅｒ）、ＥＣＧＩ（Ｅ−ＵＴＲＡＮ  Ｃｅｌｌ  Ｇｌｏｂａｌ  Ｉｄｅｎｔｉｆｉｅｒ）、ｅＮＢ  ＩＤ（ｅＮＢ  Ｉｄｅｎｔｉｆｉｅｒ）等である。
【００３１】
基地局装置２００−１に対応するセルを含む複数のセルは、位置登録エリア−１を形成する。基地局装置２００−３に対応するセルを含む複数のセルは、位置登録エリア−２を形成する。位置登録エリアは、複数のセルがグループ化されたエリアである。位置登録エリアは、端末装置１００への着信（呼接続要求）があった場合に、端末装置１００の一斉呼び出し処理（ページング処理）を行う範囲に相当する。位置登録エリア−１は、基地局制御装置３００−１によりページング処理が実行される範囲に相当する。位置登録エリア−２は、基地局制御装置３００−２によりページング処理が実行される範囲に相当する。
【００３２】
図２は、位置登録エリアのそれぞれに割り当てられたセルＩＤを示す図であり、（ａ）は位置登録エリア−１（基地局制御装置３００−１）に割り当てられたセルＩＤを示す図であり、（ｂ）は位置登録エリア−２（基地局制御装置３００−２）に割り当てられたセルＩＤを示す図である。図２（ａ）に示すように、位置登録エリア−１には、「１」〜「１０」までの１０個のセルＩＤが割り当てられる。「１」〜「１０」までの１０個のセルＩＤのそれぞれは、位置登録エリア−１において使用可能なセル識別情報に相当する。基地局制御装置３００−１は、位置登録エリア−１に割り当てられたセルＩＤを用いて、ページング処理を行うことができる。位置登録エリア−２には、他の位置登録エリアに割り当てられたセルＩＤとは異なるセルＩＤが割り当てられる。具体的に、位置登録エリア−２には、「１１」〜「２０」までの１０個のセルＩＤが割り当てられる。「１１」〜「２０」までの１０個のセルＩＤのそれぞれは、位置登録エリア−２において使用可能なセル識別情報に相当する。基地局制御装置３００−２は、位置登録エリア−２に割り当てられたセルＩＤを用いて、ページング処理を行うことができる。
【００３３】
なお、基地局制御装置３００−１および３００−２のそれぞれには１０個（同数）のセルＩＤが割り当てられているが、これに限定されない。基地局制御装置３００が用いることができるセルＩＤの個数は、基地局制御装置３００の能力に依存してよい。例えば、基地局制御装置３００の能力が高いほど、より多くのセルＩＤを割り当てることができる。
【００３４】
図１に示すように、位置登録エリア−１内の基地局装置２００−１には、セルＩＤ＝５が割り当てられている。基地局装置２００−２が位置登録エリア−１に存在する場合、基地局制御装置３００−１は、基地局装置２００−２にセルＩＤ＝１を割り当てる。位置登録エリア−２内の基地局装置２００−３には、セルＩＤ＝２０が割り当てられている。基地局装置２００−２が位置登録エリア−２に移動した場合、基地局制御装置３００−２は、基地局装置２００−２にセルＩＤ＝１１を割り当てる。
【００３５】
図３は、端末装置１００の一構成例を示すブロック図である。端末装置１００は、例えば、通信部１１０と、記憶部１２０と、制御部１３０とを備える。通信部１１０は、電波を送受信するための無線通信インターフェースを含む。通信部１１０は、制御部１３０から入力される送信信号を電波として基地局装置２００に送信する。通信部１１０は、基地局装置２００からの電波を受信信号として受信し、受信信号を制御部１３０に出力する。
【００３６】
記憶部１２０は、少なくとも１つのＨＤＤ（Ｈａｒｄ  Ｄｉｓｃ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ
Ｍｅｍｏｒｙ）、またはＲＡＭ（Ｒａｎｄｏｍ  Ａｃｃｅｓｓ  Ｍｅｍｏｒｙ）など、あるいはそれらの組み合わせにより構成される。記憶部１２０は、端末装置１００に関する各種情報やプログラムを記憶する。
【００３７】
制御部１３０は、端末装置１００の各種機能を制御する。端末装置１００が有する機能の一部または全ては、例えば、制御部１３０が備えるＣＰＵ（Ｃｅｎｔｒａｌ  Ｐｒｏｃｅｓｓｉｎｇ  Ｕｎｉｔ）等の１以上のプロセッサが記憶部１２０に記憶されている各種プログラムを実行することにより実現されてもよい。制御部１３０は、例えば、セル管理部１３２と、通信制御部１３４とを備える。
【００３８】
セル管理部１３２は、端末装置１００が接続するセルのセルＩＤを管理する。セル管理部１３２は、基地局装置２００が報知情報として送信するセルＩＤを、通信部１１０を用いて取得し、記憶部１２０を用いて記憶する。
【００３９】
通信制御部１３４は、基地局装置２００との通信に関する制御を行う。通信制御部１３４は、記憶部１２０に記憶されたセルＩＤに基づいて、セルＩＤに対応する基地局装置２００に通信接続する。具体的に、通信制御部１３４は、例えば、基地局装置２００との接続の確立、切断、ハンドオーバーに係る処理、ユーザデータの送受信に係る処理等の制御処理を行う。
【００４０】
図４は、基地局装置２００−２の一構成例を示すブロック図である。基地局装置２００−２は、例えば、通信部２１０と、記憶部２２０と、制御部２３０とを備える。
【００４１】
通信部２１０は、電波を送受信するための無線通信インターフェースを含む。通信部２１０は、制御部２３０から入力される送信信号を電波として端末装置１００に送信する。通信部２１０は、端末装置１００からの電波を受信信号として受信し、受信信号を制御部２３０に出力する。
【００４２】
記憶部２２０は、少なくとも１つのＨＤＤ、フラッシュメモリ、ＥＥＰＲＯＭ、ＲＯＭ、またはＲＡＭなど、あるいはそれらの組み合わせにより構成される。記憶部２２０は、基地局装置２００−２に関する各種情報やプログラムを記憶する。具合的に、記憶部２２０には、セルＩＤ情報２２０ａを表す情報が記憶される。
【００４３】
セルＩＤ情報２２０ａは、基地局装置２００−２（車両）の移動先において使用可能なセルＩＤを表す情報である。具体的に、基地局装置２００−２が位置登録エリア−１から位置登録エリア−２に移動する場合、例えば、位置登録エリア−２に割り当てられたセルＩＤを示す情報の少なくとも一部のセルＩＤを示す情報である。
【００４４】
基地局装置２００−２は、基地局装置２００−２が位置登録エリアを跨いで移動する場合に、移動先の位置登録エリアに対応する基地局制御装置３００から使用可能なセルＩＤを取得し、セルＩＤ情報２２０ａとして記憶する。
【００４５】
基地局装置２００−２は、車両が移動しうる範囲における位置登録エリアにおいて使用可能なセルＩＤを予めセルＩＤ情報２２０ａとして記憶してよい。例えば、基地局装置２００−２は、電車のように予め走行ルートが既知である場合、走行ルートを含む位置登録エリアにおいて使用可能なセルＩＤをセルＩＤ情報２２０ａとして記憶してよい。具体的に、基地局装置２００−２は、車両が位置登録エリア−１と位置登録エリア−２との間を往復する場合、図２（ａ）に示したように、基地局制御装置３００−１または位置登録エリア−１を特定する情報に、基地局制御装置３００−１または位置登録エリア−１に割り当てられたセルＩＤを示す情報が対応付けられた情報と、図２（ｂ）に示したように、基地局制御装置３００−２または位置登録エリア−２を特定する情報に、基地局制御装置３００−２または位置登録エリア−２に割り当てられたセルＩＤを示す情報が対応付けられた情報と、を、セルＩＤ情報２２０ａとして記憶しておく。
【００４６】
ある位置登録エリアを通過する複数の車両が存在する場合、セルＩＤ情報２２０ａは、複数の車両それぞれに搭載された複数の基地局装置２００において、同じ位置登録エリアにおいて同時に複数のセルＩＤを使用しないように設定される。具体的に、重複しない時間帯において同一の位置登録エリアに属する複数の基地局装置２００は、当該同一の位置登録エリアにおいて、同じセルＩＤを用いてセルを形成してよい。すなわち、ある位置登録エリアに同時に複数の基地局装置２００が進入することが予定されていない場合、当該複数の基地局装置２００のそれぞれは、他の基地局装置２００と同じセルＩＤを使用するようにセルＩＤ情報２２０ａが設定されてよい。ある位置登録エリアに同時に複数の基地局装置２００が進入することが予定されている場合、当該複数の基地局装置２００のそれぞれは、他の基地局装置２００と異なるセルＩＤを使用するようにセルＩＤ情報２２０ａが設定される。なお、各車両が何時、どの位置登録エリアに存在するかは、電車等のダイヤによって既知であるものとする。
【００４７】
記憶部２２０は、セルＩＤの衝突を抑制するため、現在使用されていないセルＩＤであることを表す情報を記憶していることが望ましい。現在使用されていないセルＩＤであることを表す情報は、例えば、未使用フラグである。未使用フラグは、セルＩＤ情報２２０ａにおいて現在使用されていないセルＩＤに対応して付加される情報である。未使用フラグを生成するため、基地局装置２００−２は、位置登録エリアが変更した場合に、基地局制御装置３００から現在使用されているセルＩＤまたは現在使用されていないセルＩＤを表す情報を受信する。
【００４８】
制御部２３０は、基地局装置２００−２の各種機能を制御する。基地局装置２００−２が有する機能の一部または全ては、例えば、制御部２３０が備えるＣＰＵ等の１以上のプロセッサが記憶部２２０に記憶されている各種プログラムを実行することにより実現されてもよい。制御部２３０は、例えば、セル管理部２３２と、通信制御部２３４と、エリア情報取得部２３６とを備える。なお、移動しない基地局装置２００−１および２００−３は、エリア情報取得部２３６を備えない点で、基地局装置２００−２とは相違する。
【００４９】
セル管理部２３２は、基地局装置２００−２に設定されたセルＩＤを管理する。通信制御部２３４は、基地局装置２００−２のカバーエリア内の端末装置１００との通信に関する制御を行う。具体的に、通信制御部２３４は、端末装置１００との接続の確立、切断、ハンドオーバーに係る処理、ユーザデータの送受信に係る処理等の制御処理を行う。また、通信制御部２３４は、基地局装置２００−２のセルＩＤを報知情報に含めて、通信部２１０に報知させる。
【００５０】
エリア情報取得部２３６は、基地局装置２００−２が属する位置登録エリアに関する情報を取得する。エリア情報取得部２３６は、例えば、基地局装置２００が備えるＧＰＳ（Global  Positioning  System）受信機（不図示）である。エリア情報取得部２３６は、基地局装置２００−２の位置情報を検出する。制御部２３０は、検出した位置情報と予め記憶部２２０に記憶された位置登録エリアの位置情報とを比較することで、基地局装置２００−２の現在位置に対応する位置登録エリアを検出する。なお、エリア情報取得部２３６は、基地局装置２００−２が属する位置登録エリアに関する情報を取得するものであれば、他装置からの通知を受ける通信部２１０や、図示しないＵＳＢ（Universal  Serial  Bus）などの機器間インターフェースであってもよい。
【００５１】
エリア情報取得部２３６は、電車の運行管理システムから情報に基づいて、電車の位置を特定し、制御部２３０は、特定した位置に基づいて位置登録エリアを検出してよい。電車の運行管理システムは、例えば、計画ダイヤを元に、電車の運行状況（位置、進路など）を管理しているシステムである。エリア情報取得部２３６は、現在時刻を表す情報を取得し、制御部２３０は、現在時刻に基づいて、基地局装置２００−２の位置登録エリアを検出してよい。この場合、制御部２３０は、基地局装置２００−２を搭載した車両の運行ダイヤにおける時刻情報と位置登録エリアとを対応付けておき、現在時刻と時刻情報とを比較して、位置登録エリアを検出してよい。
【００５２】
制御部２３０は、基地局装置２００−２が属する位置登録エリアの変更を検出した場合に、セルＩＤを変更するようにセル管理部２３２を制御する。セル管理部２３２は、セルＩＤを変更する。
【００５３】
図５は、基地局制御装置３００および管理装置４００の一構成例を示すブロック図である。基地局制御装置３００は、例えば、通信部３１０と、記憶部３２０と、制御部３３０とを備える。
【００５４】
通信部３１０は、電波を送受信するための無線通信インターフェースを含む。通信部２１０は、制御部３３０から入力される送信信号を電波として基地局装置２００に送信する。通信部３１０は、基地局装置２００からの電波を受信信号として受信し、受信信号を制御部３３０に出力する。なお、通信部３１０は、無線接続を用いて基地局装置２００と通信を行うが、これに限定されず、有線接続を用いて基地局装置２００と通信を行ってよい。
【００５５】
記憶部３２０は、少なくとも１つのＨＤＤ、フラッシュメモリ、ＥＥＰＲＯＭ、ＲＯＭ、またはＲＡＭなど、あるいはそれらの組み合わせにより構成される。記憶部３２０は、基地局制御装置３００に関する各種情報やプログラムを記憶する。具合的に、記憶部３２０には、基地局制御装置３００に割り当てられたセルＩＤを含むセルＩＤテーブル３２０ａを表す情報が記憶される。セルＩＤテーブル３２０ａは、例えば、図２に示したように、基地局制御装置３００を特定する情報に、割り当てられたセルＩＤを示す情報が対応付けられた情報である。
【００５６】
制御部３３０は、基地局制御装置３００の各種機能を制御する。基地局制御装置３００が有する機能の一部または全ては、例えば、制御部３３０が備えるＣＰＵ等の１以上のプロセッサが記憶部３２０に記憶されている各種プログラムを実行することにより実現されてもよい。制御部３３０は、例えば、位置登録処理部３３２と、ページング処理部３３４とを備える。
【００５７】
管理装置４００は、例えば、ＨＳＳに搭載された記憶機能である。位置登録処理部３３２は、基地局装置２００から受信した情報を用いて、端末装置１００の位置登録処理を行う。具体的に、位置登録処理部３３２は、位置登録情報を、管理装置４００に記憶させる。なお、位置登録処理部３３２は、端末ＩＤにエリアＩＤを対応付けて管理装置４００に記憶させるが、これに限定されず、端末ＩＤに、端末装置１００が属しているセルＩＤおよびエリアＩＤを対応付けて管理装置４００に記憶させてよい。
【００５８】
管理装置４００は、基地局装置２００−２が位置登録エリアを跨いで移動した場合に、基地局制御装置３００から受信した位置登録情報に基づいて、変更後のエリアＩＤに端末ＩＤを対応づける。これにより、管理装置４００は、端末ＩＤとエリアＩＤとを対応付けたデータベース４１０を構築する。なお、データベース４１０において、端末ＩＤに対して、エリアＩＤに加え、端末装置１００が接続している基地局装置２００のセルＩＤを対応付けてもよい。
【００５９】
ページング処理部３３４は、端末装置１００への着信など下りリンクデータが発生した場合に、管理装置４００の要求に応じ、端末装置１００を呼び出すページング処理を行う。基地局制御装置３００が、当該端末装置１００が属する位置登録エリアに対応する場合、管理装置４００から当該基地局制御装置３００に対し、当該端末装置１００への着信に関するページング処理が要求される。ページング処理部３３４は、要求を受けたことに応じ、当該端末装置１００への着信に関するページング処理を、当該基地局制御装置３００の配下の基地局装置２００に一斉に要求する。
【００６０】
以下、移動体通信システム１において、基地局装置２００が位置登録エリア−１から位置登録エリア−２に移動した場合のシーケンスについて説明する。図６は、移動体通信システム１におけるシーケンスの一例を示す図である。なお、以下の説明において、基地局装置２００は、移動する基地局装置であるものとし、端末装置１００は、車両の乗員に保持されているものとする。
【００６１】
例えば、端末装置１００の電源がオンされた場合、端末装置１００は、セルサーチを実施し、セルサーチにより検出したセルの基地局装置２００に対してアタッチ要求（Ｓ１）を送信する。アタッチ要求は、位置登録要求と読み替えてもよい。アタッチ要求は、基地局装置２００を経由して、基地局制御装置３００−１に送信される。
【００６２】
基地局制御装置３００−１は、ユーザ認証処理や、データの秘匿処理などを行う（ステップＳＴ１）。その後、基地局制御装置３００−１は、位置登録情報を含む位置登録要求（Ｓ２）を管理装置４００に送信する。管理装置４００は、位置登録情報に基づいて、端末装置１００の端末ＩＤに、端末装置１００が属する位置登録エリアのエリアＩＤを対応付ける。その後、管理装置４００は、位置登録応答（Ｓ３）を、基地局制御装置３００−１に送信する。その後、移動体通信システム１は、アタッチ処理の残りの処理などを含むアタッチ完了処理を行う（ステップＳＴ２）。
【００６３】
基地局装置２００は、位置登録エリア−１から位置登録エリア−２に移動したことを検出したものとする（ステップＳＴ３）。この場合、基地局装置２００は、セルＩＤ情報２２０ａを参照して、端末装置１００の通信のために使用するセルＩＤを、位置登録エリア−１に対応するセルＩＤから位置登録エリア−２に対応するセルＩＤに変更する（ステップＳＴ４）。この場合、位置登録エリア−１に対応するセルＩＤは、変更前の位置登録エリアにおいて使用可能な第１のセル識別情報に相当し、位置登録エリア−２に対応するセルＩＤは、変更後の位置登録エリアにおいて使用可能な第２のセル識別情報に相当する。
【００６４】
具体的に、基地局装置２００は、例えば図１に示したように、変更後の位置登録エリア−２内に存在する基地局装置２００が使用可能な複数のセルＩＤのうち、既に他の基地局装置２００−３に使用されているセルＩＤを除くセルＩＤの中から、セルＩＤ「１１」を、第２のセル識別情報として、自身のセルＩＤを変更する。なお、セルＩＤの変更は、基地局装置２００自身が変更しているが、これに限定されず、基地局制御装置３００が主体的に基地局装置２００のセルＩＤを変更してよい。例えば、基地局制御装置３００は、基地局装置２００に指示を送信することで、基地局装置２００を用いて、当該基地局装置２００のセルＩＤを変更してよい。
【００６５】
端末装置１００は、基地局装置２００においてセルＩＤが変更された場合、例えば基地局装置２００との通信の途絶を検出したことに応じて、再接続処理を開始する（ステップＳＴ５）。端末装置１００は、セルサーチを実施することで、基地局装置２００の変更後のセルＩＤを取得する。端末装置１００は、基地局装置２００の変更後のセルＩＤを用いて、基地局装置２００に対してアタッチ要求（Ｓ４）を送信する。アタッチ要求は、基地局装置２００を経由して、基地局制御装置３００−２に送信される。
【００６６】
基地局制御装置３００−２は、ユーザ認証処理や、データの秘匿処理などを行う（ステップＳＴ６）。その後、基地局制御装置３００−２は、位置登録情報を含む位置登録要求（Ｓ５）を管理装置４００に送信する。管理装置４００は、位置登録情報に基づいて、端末装置１００の端末ＩＤに、端末装置１００が属する位置登録エリア−２のエリアＩＤを対応付ける。その後、管理装置４００は、位置登録応答（Ｓ３）を、基地局制御装置３００−２に送信する。その後、移動体通信システム１は、アタッチ処理の残りの処理などを含むアタッチ完了処理を行う（ステップＳＴ７）。
【００６７】
以上のように、移動体通信システム１によれば、基地局装置２００が位置登録エリア−１から位置登録エリア−２に移動した場合に端末装置１００に再接続処理を実行させる。これにより、移動体通信システム１によれば、端末装置１００が実際に存在する位置登録エリアと、管理装置４００に登録されている端末装置１００の位置登録エリアとが相違している期間を短縮することができる。この結果、移動体通信システム１によれば、端末装置１００からの発信、または端末装置１００への着信が発生した場合であっても、管理装置４００に端末装置１００の位置に対応する位置登録エリアが正しく登録されているため、端末装置１００に対向機との通信および通話を行わせることができる。
【００６８】
また、移動体通信システム１によれば、基地局装置２００のセルＩＤを変更する際に、変更後の位置登録エリア内に存在する基地局装置が使用可能な複数のセルＩＤのうち、既に他の基地局装置２００に使用されているセルＩＤを除くセルＩＤを、変更後の位置登録エリアにおいて使用可能なセルＩＤに変更することができる。これにより、移動体通信システム１によれば、基地局装置２００が移動しても、移動先の位置登録エリアにおいて他の基地局装置２００とセルＩＤが重複することを回避することができる。
【００６９】
さらに、移動体通信システム１によれば、複数の基地局装置２００のそれぞれが、自身が属する予定の位置登録エリアに対応するセルＩＤを記憶し、所定の位置登録エリアに同時に属しない複数の基地局装置２００が、所定の位置登録エリアに属する場合に、同じセルＩＤを用いてセルを形成する。これにより、移動体通信システム１によれば、複数の基地局装置２００によって一つのセルＩＤを共有することができる。
【００７０】
（第２の実施形態）
以下、第２の実施形態について説明する。なお、第１の実施形態と同じ部分については同一符号を付することにより詳細な説明を省略する。第２の実施形態において、基地局装置は、位置登録エリアを跨いで移動する際に、端末装置に対して位置登録エリアの変更を通知する点で、第１の実施形態とは相違する。以下、この点を中心に説明する。
【００７１】
図７は、第２の実施形態の基地局装置２００Ａの一構成例を示すブロック図である。基地局装置２００Ａは、通知部２４０を備える。通知部２４０は、位置登録エリアの検出結果に基づいて、端末装置１００に通知を行う。
【００７２】
図８は、移動体通信システム１におけるシーケンスの他の一例を示す図である。
基地局装置２００Ａは、位置登録エリア−１から位置登録エリア−２に移動したことを検出した場合（ステップＳＴ３）、端末装置１００の通信のために使用するセルＩＤを、位置登録エリア−１に対応するセルＩＤから位置登録エリア−２に対応するセルＩＤに変更する（ステップＳＴ４）。基地局装置２００Ａの通知部２４０は、基地局装置２００Ａに接続している全端末装置１００に、エリア変更通知（Ｓ１０）を送信する。
【００７３】
端末装置１００は、エリア変更通知（Ｓ１０）を受信したことに応じて、アタッチ要求（Ｓ１１）を、基地局装置２００Ａに送信する。基地局装置２００Ａは、アタッチ要求（Ｓ１１）を受信したことに応じて、移動先の基地局制御装置３００−２に位置登録要求を送信する。
【００７４】
基地局制御装置３００−２は、位置登録要求（Ｓ１１）に基づく位置登録要求を受信したことに応じ、管理装置４００に位置登録要求（Ｓ１２）を送信する。管理装置４００は、位置登録要求（Ｓ１２）を受信したことに応じ、位置登録要求（Ｓ１１）を送信した端末装置１００の端末ＩＤを、変更後の位置登録エリア−２のエリアＩＤに対応付ける。管理装置４００は、位置登録応答（Ｓ１３）を、基地局制御装置３００−２に送信する。
【００７５】
このようなシーケンスを実行する移動体通信システム１によれば、基地局装置２００が位置登録エリアを跨いで移動した場合に、エリア変更通知を端末装置１００に通知するので、端末装置１００が実際に存在する位置登録エリアと、管理装置４００に登録されている端末装置１００の位置登録エリアとが相違している期間を更に短縮することができる。また、移動体通信システム１によれば、基地局装置２００Ａの処理負担を端末装置１００に分散させることができる。
【００７６】
（第３の実施形態）
以下、第３の実施形態について説明する。なお、上述の実施形態と同じ部分については同一符号を付することにより詳細な説明を省略する。第３の実施形態において、基地局装置は、位置登録エリアを跨いで移動する際に、移動元の位置登録エリアにおいて使用可能なセルＩＤ、および移動先の位置登録エリアにおいて使用可能なセルＩＤを、自身が形成するセルにおいて報知する点で、上述の実施形態とは相違する。また、第３の実施形態において、基地局装置は、端末装置１００にハンドオーバーを指示した場合に、基地局装置２００のセルＩＤを変更する点で、上述した実施形態とは相違する。以下、この点を中心に説明する。
【００７７】
図９は、第３の実施形態の基地局装置２００Ｂの一構成例を示すブロック図である。基地局装置２００Ｂは、報知部２４２と、電力制御部２４４を備える。報知部２４２は、基地局装置２００が位置登録エリアを跨いで移動する際に、移動先の位置登録エリアにおいて使用可能なセルＩＤを報知する。電力制御部２４４は、基地局装置２００が位置登録エリアを跨いで移動する際に、移動元の位置登録エリアにおいて使用しているセルＩＤを用いて送信される電波の電力を低下させる。
【００７８】
図１０は、移動体通信システム１におけるシーケンスの他の一例を示す図である。
報知部２４２は、基地局装置２００Ｂが位置登録エリア−１から位置登録エリア−２に移動する前に、報知情報（Ｓ２０）を送信する。基地局装置２００Ｂは、報知情報として、基地局装置２００Ｂの移動先の位置登録エリア−２において使用可能なセルＩＤ＝１１を示す情報を送信する。
【００７９】
基地局装置２００Ｂは、位置登録エリア−１から位置登録エリア−２に移動したことを検出した場合（ステップＳＴ３）、電力制御部２４４により、現在使用しているセルＩＤ＝１を用いて送信される電波の電力を低下させる（ステップＳＴ１０）。電力制御部２４４は、セルＩＤ＝１を用いて送信される電波の電力を基準以下に低下させる。基準とは、例えば、端末装置１００においてハンドオーバーのトリガとなるほどに低い電力である。
【００８０】
端末装置１００は、現在使用しているセルＩＤ＝１を用いて送信される電波の電力が低下したことを検出したことに応じて、セルＩＤを１から１１に変更するハンドオーバー（ＨＯ）動作を行う（ステップＳＴ１１）。端末装置１００は、ハンドオーバー候補を示す情報（Ｓ２１）として、セルＩＤ＝１１を示す情報を基地局装置２００Ｂに送信する。
【００８１】
基地局装置２００Ｂは、ハンドオーバー候補を示す情報（Ｓ２１）を受信したことに応じて、セルＩＤ＝１に対応する基地局制御装置３００−１にハンドオーバー要求（Ｓ２２）を送信する。基地局制御装置３００−１は、ハンドオーバー要求（Ｓ２２）を受信したことに応じて、セルＩＤ＝１１に対応する基地局制御装置３００−２にハンドオーバー要求（Ｓ２３）を送信する。
【００８２】
基地局装置２００Ｂは、ハンドオーバー要求（Ｓ２２）を送信した後、ハンドオーバー指示（Ｓ２４）を端末装置１００に送信し、端末装置１００の通信のために使用するセルＩＤを、位置登録エリア−１に対応するセルＩＤから位置登録エリア−２に対応するセルＩＤに変更する（ステップＳＴ４）。
【００８３】
端末装置１００は、ハンドオーバー指示（Ｓ２４）を受信したことに応じて、セルＩＤを１から１１に変更し、ハンドオーバー応答（Ｓ２５）を基地局装置２００Ｂに送信する。次に端末装置１００は、セルＩＤ＝１１を用いて、位置登録要求（Ｓ１１）を基地局装置２００Ｂに送信する。
【００８４】
このようなシーケンスを実行する移動体通信システム１によれば、基地局装置２００Ｂが位置登録エリアを跨いで移動する際に、移動元の位置登録エリアにおいて使用されるセルＩＤを基地局装置２００Ｂから報知する。これにより、移動体通信システム１によれば、端末装置１００におけるハンドオーバー動作をスムーズに行うことができる。なお、基地局装置２００Ｂは、位置登録エリアを跨いで移動する前に報知情報を送信したが、これに限定されず、位置登録エリアを跨いで移動した直後に報知情報を送信してよい。
【００８５】
また、移動体通信システム１によれば、移動元の位置登録エリアにおいて使用しているセルＩＤを用いた電波の電力を低下させるので、位置登録エリアを跨いで移動した後、速やかに端末装置１００にハンドオーバー動作を開始させることができる。
【００８６】
（第４の実施形態）
以下、第４の実施形態について説明する。なお、上述の実施形態と同じ部分については同一符号を付することにより詳細な説明を省略する。第４の実施形態において、車両は、複数の基地局装置を備える。移動体通信システム１は、車両が位置登録エリアを跨いで移動する前には、移動元の位置登録エリアにおいて使用されるセルＩＤに対応する基地局装置が端末装置１００と通信を行い、車両が位置登録エリアを跨いで移動した後には、移動先の位置登録エリアにおいて使用されるセルＩＤに対応する基地局装置が端末装置１００と通信を行う。以下、この点を中心に説明する。
【００８７】
図１１は、第４の実施形態の車両の一構成例を示すブロック図である。車両は、第１基地局装置２００Ｃ−１と、第２基地局装置２００Ｃ−２とを備える。第１基地局装置２００Ｃ−１の記憶部２２０には、セルＩＤ情報２２０ａとして、少なくとも移動元の位置登録エリアにおいて使用されるセルＩＤ＝１を示す情報が記憶されている。第２基地局装置２００Ｃ−２の記憶部２２０には、セルＩＤ情報２２０ａとして、少なくとも移動先の位置登録エリアにおいて使用されるセルＩＤ＝１１を示す情報が記憶されている。
【００８８】
第１基地局装置２００Ｃ−１および第２基地局装置２００Ｃ−２の一方が、端末装置１００と通信を行う。端末装置１００がセルＩＤ＝１を使用することができる位置登録エリア−１に存在する場合、第１基地局装置２００Ｃ−１が端末装置１００と通信を行う。端末装置１００がセルＩＤ＝１１を使用することができる位置登録エリア−２に存在する場合、第２基地局装置２００Ｃ−２が端末装置１００と通信を行う。
【００８９】
第１基地局装置２００Ｃ−１の通信制御部２３４および第２基地局装置２００Ｃ−２の通信制御部２３４のそれぞれは、例えば、位置登録エリアの検出結果に基づいて、通信部２１０のオン、オフを切り替える。これにより、第１基地局装置２００Ｃ−１および第２基地局装置２００Ｃ−２の一方が、端末装置１００と通信を行うことができる。
【００９０】
図１２は、移動体通信システム１におけるシーケンスの他の一例を示す図である。
第２基地局装置２００Ｃ−２は、車両が位置登録エリア−１から位置登録エリア−２に移動する前に、起動する（ステップＳＴ２０）。第２基地局装置２００Ｃ−２は、例えば、車両が位置登録エリア−２に進入する時刻から第２基地局装置２００Ｃ−２の起動時間を前倒しした時刻よりも前に、第２基地局装置２００Ｃ−２の起動を開始させる。車両が位置登録エリア−２に進入する時刻は、例えば、運行管理システムから取得した車両が位置登録エリア−２に進入する予定時刻である。
【００９１】
第２基地局装置２００Ｃ−２の報知部２４２は、第２基地局装置２００Ｃ−２が起動した後、第１基地局装置２００Ｃ−１と接続している端末装置１００に報知情報（Ｓ２０）を送信する。第２基地局装置２００Ｃ−２は、報知情報として、移動先の位置登録エリア−２において使用可能なセルＩＤ＝１１を示す情報を送信する。
【００９２】
第１基地局装置２００Ｃ−１および第２基地局装置２００Ｃ−２は、車両が位置登録エリア−１から位置登録エリア−２に移動したことを検出する（ステップＳＴ３）。この場合、第１基地局装置２００Ｃ−１の電力制御部２４４は、現在使用しているセルＩＤ＝１を用いて送信される電波の電力を低下させる（ステップＳＴ１０）。
【００９３】
端末装置１００は、現在使用しているセルＩＤ＝１を用いて送信される電波の電力が低下したことを検出したことに応じて、セルＩＤを１から１１に変更するハンドオーバー（ＨＯ）動作を行う（ステップＳＴ１１）。端末装置１００は、ハンドオーバー候補を示す情報（Ｓ２１＃）として、セルＩＤ＝１１を示す情報を第１基地局装置２００Ｃ−１に送信する。
【００９４】
第１基地局装置２００Ｃ−１は、ハンドオーバー候補を示す情報（Ｓ２１＃）を受信したことに応じて、セルＩＤ＝１に対応する基地局制御装置３００−１にハンドオーバー要求（Ｓ２２＃）を送信する。基地局制御装置３００−１は、ハンドオーバー要求（Ｓ２２＃）を受信したことに応じて、セルＩＤ＝１１に対応する基地局制御装置３００−２にハンドオーバー要求（Ｓ２３＃）を送信する。
【００９５】
第１基地局装置２００Ｃ−１は、ハンドオーバー要求（Ｓ２２＃）を送信した後、ハンドオーバー指示（Ｓ２４＃）を端末装置１００に送信し、セルＩＤ＝１を使用した通信を停止する（ステップＳＴ２１）。
【００９６】
端末装置１００は、ハンドオーバー指示（Ｓ２４＃）を受信したことに応じて、通信に使用するセルＩＤを１から１１に変更し、ハンドオーバー応答（Ｓ２５＃）を第２基地局装置２００Ｃ−２に送信する。次に端末装置１００は、セルＩＤ＝１１を用いて、位置登録要求（Ｓ１１＃）を第２基地局装置２００Ｃ−２に送信する。第２基地局装置２００Ｃ−２は、位置登録要求（Ｓ１１＃）に基づいて、基地局制御装置３００−２に位置登録要求を送信する。
【００９７】
このようなシーケンスを実行する移動体通信システム１によれば、移動元の位置登録エリア−１において使用されるセルＩＤを用いて通信を行う第１基地局装置２００Ｃ−１と、移動先の位置登録エリア−２において使用されるセルＩＤを用いて通信を行う第２基地局装置２００Ｃ−２とを備える。これにより、起動する基地局装置を切り替えるという単純な動作を行うことで、確実に端末装置１００にハンドオーバーを行わせることができる。
【００９８】
（変形例）
上述した実施形態において、基地局装置２００が位置登録エリアを跨いで移動したことを基地局装置２００において検出したが、これに限定されず、基地局装置２００以外の装置が位置登録エリアの変更を検出してよい。図１３は、変形例を示すブロック図である。変形例において、車両に搭載された車両制御装置５００が、エリア情報取得部５１０を備える。エリア情報取得部５１０は、例えば、車両の運行管理システムから受信した車両の位置情報、またはＧＰＳからの情報に基づいて、車両の現在位置を特定する。車両制御装置５００は、例えば、車両の位置に基づいて、車両の速度制御などを行う。車両制御装置５００は、予め設定された位置登録エリアの位置情報と、車両の現在位置とを比較して車両が位置登録エリアを跨いで移動したことを検出する。
【００９９】
なお、本発明の一態様における端末装置１００、基地局装置２００、基地局制御装置３００、および管理装置４００において動作するプログラムは、本発明の一態様に関わる上記の各実施形態や変形例で示した機能を実現するように、１つ、または複数の、ＣＰＵ等のプロセッサを制御するプログラム（コンピュータを機能させるプログラム）であっても良い。そして、これらの各装置で取り扱われる情報は、その処理時に一時的にＲＡＭに蓄積され、その後、フラッシュメモリやＨＤＤ等の各種ストレージに格納され、必要に応じてＣＰＵによって読み出し、修正・書き込みが行われても良い。
【０１００】
なお、上述した各実施形態や変形例における基地局制御装置３００、および管理装置４００それぞれの一部又は全部を１つ、または複数のプロセッサを備えたコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１０１】
なお、ここでいう「コンピュータシステム」とは、端末装置１００、基地局装置２００、基地局制御装置３００、および管理装置４００に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１０２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０３】
また、上述した各実施形態や変形例における端末装置１００、基地局装置２００、基地局制御装置３００、および管理装置４００のそれぞれの一部、又は全部を典型的には集積回路であるＬＳＩとして実現してもよいし、チップセットとして実現してもよい。また、上述した各実施形態や変形例における端末装置１００、基地局装置２００、基地局制御装置３００、および管理装置４００の各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【０１０４】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【０１０５】
例えば、上記各実施形態や各変形例の一部または全部を組み合わせることで本発明の一態様を実現してもよい。
【符号の説明】
【０１０６】
１００…端末装置、１３２…セル管理部、１３４…通信制御部、２００…基地局装置、２２０…記憶部、２３２…セル管理部、２３４…通信制御部２３４、２３６…エリア情報取得部、２３８…登録部、３００…基地局制御装置、３２０…記憶部、３２０ａ…セルＩＤテーブル、３３２…位置登録処理部、４００…管理装置、４１０…データベース
【図１】
2019121903.tif 000003
【図２】
2019121903.tif 000004
【図３】
2019121903.tif 000005
【図４】
2019121903.tif 000006
【図５】
2019121903.tif 000007
【図６】
2019121903.tif 000008
【図７】
2019121903.tif 000009
【図８】
2019121903.tif 000010
【図９】
2019121903.tif 000011
【図１０】
2019121903.tif 000012
【図１１】
2019121903.tif 000013
【図１２】
2019121903.tif 000014
【図１３】
2019121903.tif 000015